(57)【要約】【課題】ネット状生地の開口側折返し縁部とジッパーテープとの縫製箇所での保形機能を高めながらも、洗濯物の出し入れ時における開口部の押し開き操作を容易に行うことのできる洗濯ネットを提供する。【解決手段】袋状のネット状生地１の開口側縁部１ａが折返され、この折返し側縁部１ａにスライドファスナー３のジッパーテープ３Ａが縫着されているとともに、折返し側縁部１ａとジッパーテープ３Ａとの縫製箇所には、ジッパーテープ３Ａのテープ面方向に沿う又は略沿う姿勢の板状部４Ａを備えた弾性変形可能な合成樹脂製の保形材４が開口全域に亘って付設されている。【選択図】        図１
2004236958.tif 000002
【特許請求の範囲】
【請求項１】
袋状のネット状生地の開口側縁部が折返され、この折返し側縁部にスライドファスナーのジッパーテープが縫着されている洗濯ネットであって、
前記折返し側縁部とジッパーテープとの縫製箇所には、ジッパーテープのテープ面方向に沿う又は略沿う姿勢の板状部を備えた弾性変形可能な合成樹脂製の保形材が略開口全域に亘って付設されている洗濯ネット。
【請求項２】
前記保形材が、ジッパーテープのテープ面方向に沿う又は略沿う姿勢の板状部と、これの収納空間側に臨む側辺に一体形成される筒部とから構成されている請求項１記載の洗濯ネット。
【請求項３】
前記袋状のネット状生地の折返し側縁部とジッパーテープ及び保形材の板状部との重合部分が縁布で被覆され、その状態でこれら四者が一体的に縫着されている請求項１又は請求項２記載の洗濯ネット。
【請求項４】
前記保形材の板状部には、外面側に臨む側辺にまで及ぶ複数の切れ目が、ジッパーテープの長手方向に間隔を置いて形成されている請求項１、２又は３記載の洗濯ネット。
【発明の詳細な説明】
【０００１】
【発明の属する技術分野】
本発明は、袋状のネット状生地の開口側縁部が折返され、この折返し側縁部にスライドファスナーのジッパーテープが縫着されている洗濯ネットに関する。
【０００２】
【従来の技術】
一般の洗濯ネットでは、ネット状生地の開口周縁における折返し側縁部とスライドファスナーのジッパーテープとを重ね合わせ、その重合部分を断面略Ｕの字状に折り曲げられた縁布（バイアステープ）により被覆した状態でこれら三者を一体的に縫着する縫製手段が採られているが、ネット状生地及び縁布自体の保形力は弱いため、洗濯時の外力によって洗濯ネットの開口部分が折れ曲がり易く、洗濯ネットの収納空間内に投入された洗濯物の型崩れを招来するとともに、スライドファスナーの開閉に手間取ることがある。
【０００３】
そこで、従来では、ネット状生地の開口周縁における折返し側縁部とスライドファスナーのジッパーテープとの重合部分に対して断面略Ｕの字状の折曲げ姿勢で縫着される縁布の内底部に、ジッパーテープの開口全域に亘る長さを備えた合成樹脂製のパイプ状の保形線条を挿入する方法が提案されている（例えば、特許文献１、２参照。）。
【０００４】
【特許文献１】
特許第２６９６０９３号公報（第４頁、図６）
【特許文献２】
特許第２９８０５２０号公報（第２頁、図３）
【０００５】
【発明が解決しようとする課題】
従来の洗濯ネットでは、ネット状生地の開口側折返し縁部とジッパーテープとの縫製箇所に設けた保形線条による保形力を強くすると、それに伴って洗濯ネットの開口部を閉止姿勢に維持する復元付勢力が強くなるため、洗濯物の出し入れ時において、開き操作されたスライドファスナーをスライダ開閉操作方向に対して直交する方向に押し開ける際、保形線条による復元付勢力に抗して押し開き操作しなければならないため、開口部の押し開き操作が重くなる不都合がある。
【０００６】
本発明は、上述の実状に鑑みて為されたものであって、その主たる課題は、ネット状生地の開口側縁部とジッパーテープとの縫製箇所での保形機能を高めながらも、洗濯物の出し入れ時における開口部の押し開き操作を容易に行うことのできる洗濯ネットを提供する点にある。
【０００７】
【課題を解決するための手段】
本発明の請求項１による特徴構成は、袋状のネット状生地の開口側縁部が折返され、この折返し側縁部にスライドファスナーのジッパーテープが縫着されている洗濯ネットであって、
前記折返し側縁部とジッパーテープとの縫製箇所には、ジッパーテープのテープ面方向に沿う又は略沿う姿勢の板状部を備えた弾性変形可能な合成樹脂製の保形材が略開口全域に亘って付設されている点にある。
【０００８】
上記特徴構成によれば、ネット状生地の折返し側縁部とジッパーテープとの縫製箇所に付設された合成樹脂製の保形材により、縫製箇所の保形力を高めることができるのであるが、特に、保形材には、ジッパーテープのテープ面方向に沿う又は略沿う姿勢の板状部が備えられているから、保形材をジッパーテープのテープ面に対して直交する方向に弾性変形させる方が、テープ面方向で弾性変形させる場合よりも操作力が小さくなり、開き操作されたスライドファスナーをスライダ開閉操作方向に対して直交する方向に小さな操作力で押し開き操作することができる。
【０００９】
従って、ネット状生地の折返し側縁部とジッパーテープとの縫製箇所での保形機能を高めることにより、洗濯時でも、洗濯ネットの開口部形状を初期の設計形状に極力維持して、洗濯物の型崩れの抑制とスライドファスナーの開閉操作の容易化とを図りながらも、洗濯物の出し入れ時において、開き操作されたスライドファスナーをスライダ開閉操作方向に対して直交する方向に容易に押し開き操作することができる。
【００１０】
本発明の請求項２による洗濯ネットの特徴構成は、前記保形材が、ジッパーテープのテープ面方向に沿う又は略沿う姿勢の板状部と、これの収納空間側に臨む側辺に一体形成される筒部とから構成されている点にある。
【００１１】
上記特徴構成によれば、保形材を構成する一方の板状部により、洗濯物の出し入れ時において、開き操作されたスライドファスナーをスライダ開閉操作方向に対して直交する方向に容易に押し開き操作することができるようにしながらも、板状部とこれの収納空間側に臨む側辺に一体形成される筒部とにより、洗濯ネットの開口部形状を初期の設計形状に極力維持することができるのであるが、特に、筒部の存在により、折れ曲がり時における弾性復元力を高めることができる。
【００１２】
本発明の請求項３による洗濯ネットの特徴構成は、前記袋状のネット状生地の折返し側縁部とジッパーテープ及び保形材の板状部との重合部分が縁布で被覆され、その状態でこれら四者が一体的に縫着されている点にある。
【００１３】
上記特徴構成によれば、洗濯ネットの開口部の保形機能の向上と開き操作されたスライドファスナーの押し開き操作の容易化とを促進しながらも、ネット状生地の折返し側縁部とジッパーテープとの縫製箇所を見栄え良く仕上げることができる。しかも、ネット状生地の折返し側縁部とジッパーテープ及び縁布とを逢着するための本来の縫製工程を利用して、保形材をジッパーテープのテープ面に沿って逢着することができるから、保形材に対する特別な加工が不要で、製造コストの低廉化を図ることができる。
【００１４】
本発明の請求項４による洗濯ネットの特徴構成は、前記保形材の板状部に、外面側に臨む側辺にまで及ぶ複数の切れ目が、ジッパーテープの長手方向に間隔を置いて形成されている点にある。
【００１５】
上記特徴構成によれば、洗濯ネットの開口部の保形機能の向上を図りながらも、保形材の板状部に形成される切れ目の数や間隔を変更することにより、単一の横断面形状の保形材であっても、各種の洗濯ネットの開口部形状に沿う形状に容易に形成することができる。
【００１６】
【発明の実施の形態】
〔第１実施形態〕
図１〜図６に示す洗濯ネットは、それの輪郭形状に対応した分割展開形状に裁断された複数枚のネット状生地１の周縁のうち、開口部形成箇所の側縁部分１ａを除く他の隣接側縁部分１ｂ同士を内側に折り返した状態で重ね合わせるとともに、各重ね合わされた折返し側縁部分１ｂを、断面略Ｕの字状に折り曲げられた細幅の縁布（バイアステープ）２にて被覆し、更に、この縁布２の両折返し側縁部分２ａとネット状生地１の折返し側縁部分１ｂ，１ｂとの三者を縫製糸６にて一体的に縫着することにより、洗濯物用収納空間Ｓと洗濯物出し入れ用の開口Ａを備えたネット袋が構成されている。
【００１７】
更に、ネット状生地１の開口部形成箇所の隣接側縁部分１ａは収納空間Ｓ側に折り返えされ、この両折返し側縁部分１ｂにスライドファスナー３のジッパーテープ３Ａの外側縁部分３ａが重ね合わされているとともに、ジッパーテープ３Ａの外側縁部分３ａの内側面には、洗濯ネットの設計開口部形状に沿って湾曲形成可能な板状部４Ａをもって構成される弾性変形可能な合成樹脂（例えば、軟質塩化ビニル等）製の保形材４が、ジッパーテープ３Ａのテープ面方向に沿う又は略沿う姿勢でスライドファスナー３の略開口全域に亘って重ね合わされ、更に、この重合箇所が断面略Ｕの字状に折り曲げられた縁布（バイアステープ）５にて被覆されていて、全体で７層の重合状態にある縁布５の両折返し側縁部分５ａとネット状生地１の折返し側縁部分１ａとジッパーテープ３Ａの外側縁部分３ａ及び保形材４とが縫製糸６にて一体的に縫着されている。
【００１８】
前記保形材４は、ジッパーテープ３Ａの全長よりも少し短く、かつ、ジッパーテープ３Ａの内側縁に沿って形成されるジッパー歯３Ｂの全長（スライドファスナー３の開口全長に相当する）よりも少し長く構成されているとともに、保形材４の横断面形状が、外面側ほど先細りとなる略三角形に成形されている。
【００１９】
そのため、ネット袋を構成するネット状生地１の折返し側縁部３ａとジッパーテープ３Ａとの縫製箇所に縫着された合成樹脂製の保形材４によって、洗濯ネットの開口部での保形機能を高めることにより、洗濯時でも、洗濯ネットの開口部形状を初期の設計開口部形状に極力維持して、洗濯物の型崩れの抑制とスライドファスナー３のスライダ３Ｃによる開閉操作の容易化とを図ることができるのである。
【００２０】
特に、図１に示すように、保形材４が、ジッパーテープ３Ａのテープ面方向に沿う又は略沿う姿勢の板状部４Ａをもって構成されているから、保形材４をジッパーテープ３Ａのテープ面に対して直交する方向Ｘに弾性変形させる方が、保形材４を内外方向となるテープ面方向Ｙで弾性変形させる場合よりも操作力が小さくなり、開き操作されたスライドファスナー３をスライダ３Ｃの開閉操作方向に対して直交する方向Ｘに容易に押し開き操作することができる。
【００２１】
また、保形材４の横断面形状がネット外面側ほど細くなる先細り形状に形成されている場合には、単一の横断面形状の保形材４を用いながらも、洗濯ネットの開口部の各種形状に沿う形状に容易に形成することができる。
【００２２】
また、ネット状生地１の開口部形成箇所における両折返し側縁部分１ｂとスライドファスナー３のジッパーテープ３Ａの外側面との間で、かつ、スライダ３Ｃの閉止操作位置に対応する部位には、閉止操作位置に操作されたスライダ３Ｃの主要部を覆う伸縮性の弾性カバー７が縫着されているとともに、その近傍に位置するジッパーテープ３Ａの端部には、開口Ａを通して外部に導出可能な吊下げ紐８が縫着されている。
【００２３】
〔第２実施形態〕
図７は、ネット状生地１の折返し側縁部１ａとジッパーテープとの縫製箇所に付設される弾性変形可能な合成樹脂製の保形材４の別実施形態を示し、これは、ジッパーテープ３Ａのテープ面方向に沿う又は略沿う姿勢の板状部４Ａと、これの収納空間Ｓ側に臨む側辺に一体形成される筒部４Ｂとから構成されているとともに、板状部４Ａの横断面形状が、外面側ほど先細りとなる略三角形に成形されている。
【００２４】
そして、保形材４を構成する一方の板状部４Ａにより、洗濯物の出し入れ時において、開き操作されたスライドファスナー３をスライダ３Ｃの開閉操作方向に対して直交する方向Ｘに容易に押し開き操作することができるようにしながらも、板状部４Ａとこれの収納空間Ｓ側に臨む側辺に一体形成される筒部４Ｂとにより、洗濯ネットの開口部形状を初期の設計開口部形状に極力維持することができるのであるが、特に、筒部４Ｂの存在により、洗濯ネットの開口部の折れ曲がり時における弾性復元力を高めることができる。
尚、その他の構成は、第１実施形態で説明した構成と同一であるから、同一の構成箇所には、第１実施形態と同一の番号を付記してそれの説明は省略する。
【００２５】
〔第３実施形態〕
図８は、ネット状生地１の折返し側縁部１ａとジッパーテープとの縫製箇所に付設される弾性変形可能な合成樹脂製の保形材４の別実施形態を示し、これは、ジッパーテープ３Ａのテープ面方向に沿う又は略沿う姿勢の板状部４Ａと、これの収納空間Ｓ側に臨む側辺に一体形成される筒部４Ｂとから構成されているとともに、板状部４Ａの横断面形状が、外面側ほど先細りとなる略三角形に成形され、更に、保形材４の板状部４Ａには、外面側に臨む側辺にまで及ぶ複数の切れ目４ａが、ジッパーテープ３Ａの長手方向に間隔を置いて形成されている。
【００２６】
この実施形態の場合、特に、洗濯ネットの開口部の保形機能の向上を図りながらも、保形材４の板状部４Ａに形成される切れ目４ａの数や間隔を変更することにより、単一の横断面形状の保形材４であっても、各種の洗濯ネットの開口部形状に沿う形状に容易に形成することができる。
尚、その他の構成は、第１実施形態で説明した構成と同一であるから、同一の構成箇所には、第１実施形態と同一の番号を付記してそれの説明は省略する。
【００２７】
〔その他の実施形態〕
（１）上述の各実施形態では、前記保形材４の板状部４Ａを先細り形状に形成したが、この保形材４の板厚を、洗濯ネットの開口Ａにおける内外方向の全域に亘って同一厚みに構成してもよい。
【００２８】
（２）上述の各実施形態では、重合状態にある縁布５の両折返し側縁部分５ａとネット状生地１の開口周縁における折返し側縁部分１ａとジッパーテープ３Ａ及び保形材４とを縫製糸６にて一体的に縫着したが、保形材４を、洗濯ネットの設計開口部形状に略沿った形状でジッパーテープ３Ａに予め接着や縫製等の取付け手段で付設してもよい。
【００２９】
更に、洗濯ネットの設計開口部形状に略沿った形状で縫製された縁布５で形成される空間内に、ジッパーテープ３Ａのテープ面方向に沿う又は略沿う姿勢で開口の略全域に亘って保形材４を挿入したのち、保形材４の長手方向の複数箇所をジッパーテープ３Ａに縫着してもよい。
【００３０】
（３）  上述の各実施形態では、前記保形材４の板状部４Ａを、ジッパーテープ３Ａのテープ面方向に沿って一直線状又は略一直線状に構成したが、開き操作されたスライドファスナー３をスライダ３Ｃの開閉操作方向に対して直交する方向Ｘに容易に押し開き操作することができる範囲内において、保形材４の板状部４Ａを少し湾曲形成してもよい。
【００３１】
（４）洗濯ネットの輪郭形状としては円筒形、角筒型、ボストン型、球型、半球型等の任意の形状に構成することができるとともに、ネット状生地１としても、洗濯ネットの輪郭形状に対応した展開形状に構成されているものであれば、一枚でも、複数に分割されているものであってもよい。
【図面の簡単な説明】
【図１】本発明の洗濯ネットの第１実施形態を示す要部の拡大図付き開き操作時の全体斜視図
【図２】要部の拡大図付き閉じ操作時の全体斜視図
【図３】折畳み時の全体斜視図
【図４】要部の拡大斜視図
【図５】スライドファスナーを閉じ操作したときの要部の平面図
【図６】スライドファスナーを押し開いたときの要部の平面図
【図７】本発明の洗濯ネットの第２実施形態を示す要部の拡大斜視図
【図８】本発明の洗濯ネットの第３実施形態を示す要部の拡大斜視図
【符号の説明】
１      ネット状生地
１ａ    開口側縁部
３      スライドファスナー
３Ａ    ジッパーテープ
４      保形材
４Ａ    板状部
４Ｂ    筒部
４ａ    切れ目
５      縁布（バイアステープ）
Ａ      開口
Ｓ      収納空間
【図１】
2004236958.tif 000003
【図２】
2004236958.tif 000004
【図３】
2004236958.tif 000005
【図４】
2004236958.tif 000006
【図５】
2004236958.tif 000007
【図６】
2004236958.tif 000008
【図７】
2004236958.tif 000009
【図８】
2004236958.tif 000010